(57)【特許請求の範囲】
【請求項１】
車両に既設のブラックボックスであってＧＰＳ受信機を接続するための第１ポートを備えるブラックボックスに接続することができるサービス端末であって、
低消費電力広域ネットワーク（ＬＰＷＡＮ）に接続してＬＰＷＡＮサービスのためのＬＰＷＡＮサービスデータを送受信することが可能なＬＰＷＡＮインターフェース、
前記ＧＰＳ受信機を接続することが可能な第２−１ポートと、前記ＬＰＷＡＮインターフェースを接続することが可能な第２−２ポートと、前記ブラックボックスの第１ポートに接続される第２−３ポートとを備え、前記第２−１ポートを介して受信したＧＰＳデータ及び前記第２−２ポートを介して受信したＬＰＷＡＮサービスデータのうちのいずれかを前記ブラックボックスへ提供するＭＣＵ、及び、
直流動作電源を供給する電源部、を備えて前記車両に設置されることを特徴とする、
サービス端末。
【請求項２】
前記ＭＣＵは、前記第２−１ポートを介して受信したＧＰＳデータを前記第２−３ポートへ仲介する中で、前記第２−２ポートを介して前記ＬＰＷＡＮサービスデータを受信した場合、前記受信したＬＰＷＡＮサービスデータに対応してユーザーに表示しなければならない表示データがあれば、前記ＧＰＳデータの仲介を中断し、前記表示データを前記第２−３ポートを介して前記ブラックボックスへ提供することにより、前記表示データが前記ブラックボックスの表示部に表示されるようにすることを特徴とする請求項１に記載のサービス端末。
【請求項３】
前記表示データは、前記ＬＰＷＡＮサービスデータから抽出したものであるか、或いは前記ＬＰＷＡＮサービスデータに対応して前記ＭＣＵが既に保存しておいたものであることを特徴とする請求項２に記載のサービス端末。
【請求項４】
前記ＭＣＵは、前記第２−１ポートを介して受信したＧＰＳデータを前記第２−３ポートへ仲介する中で、前記第２−３ポートを介して前記ブラックボックスが提供するデータを受信すると、前記データが前記ＧＰＳ受信機へ伝達するものであるか、前記ＬＰＷＡＮサービスのためのものであるかを判断し、前記ＬＰＷＡＮサービスのためのデータである場合には、前記ＧＰＳデータの伝達を中断し、前記ブラックボックスが提供したデータに対応するＬＰＷＡＮサービスデータを前記第２−２ポートを介して前記ＬＰＷＡＮインターフェースへ伝達して前記低消費電力広域ネットワークを介して外部管理サーバーに提供することを特徴とする請求項１または２に記載のサービス端末。
【請求項５】
前記表示データは、前記ＬＰＷＡＮサービスデータから抽出したものであるか、或いは前記ＬＰＷＡＮサービスデータに対応して前記ＭＣＵが既に保存しておいたものであることを特徴とする請求項４に記載のサービス端末。
【請求項６】
前記ＧＰＳ受信機を内蔵することを特徴とする請求項１に記載のサービス端末。
【発明の詳細な説明】
【技術分野】
【０００１】
本発明は、低消費電力広域ネットワークを用いて低消費電力で車両の運転者に各種サービスを提供する端末であって、車両に既設のブラックボックスに接続することができるサービス端末、及びそのブラックボックス接続方法に関する。
【背景技術】
【０００２】
ＬＰＷＡＮ（Ｌｏｗ  Ｐｏｗｅｒ  Ｗｉｄｅ  Ａｒｅａ  Ｎｅｔｗｏｒｋ）は、低消費電力広域ネットワークであって、最近、モノのインターネット（ＩｏＴ：Ｉｎｔｅｒｎｅｔ  ｏｆ  Ｔｈｉｎｇｓ）用無線ネットワークとして採用されている。モノのインターネットのためのネットワークソリューションは、（１）まず、データを常時使用するがバッテリーなどで動作しなければならないので、低消費電力で伝送することができなければならず、（２）常時使用するがデータの量が少量であるので、超高速である必要はなく、（３）高コストのネットワークは経済性が低くて使用し難いという特徴がある。ＬＰＷＡＮは、このような要求に対するソリューショであって、モノのインターネットのための無線ネットワークとして最近注目を浴びている。ＬＰＷＡＮは、モノのインターネットの中でもカバレッジが相当大きいネットワークであって、ＬｏＲａ（登録商標）、Ｓｉｇｆｏｘ（登録商標）、Ｉｎｇｅｎｕ（登録商標）、ＬＴＥ−Ｍ、ＮＢ−ＩＯＴなどの商用化された技術を含む。
例えば、ＬｏＲａは、低消費電力の通信が可能であるうえ、最大２０Ｋｍほど相当広いカバレッジを有するという利点がある。Ｓｉｇｆｏｘは、都市の場合には１０Ｋｍ、都心を離れた場合には最大３０Ｋｍのカバレッジを有する。ＬＴＥ−ＭＴＣ（Ｍａｃｈｉｎｅ−ｔｙｐｅ  Ｃｏｍｍｕｎｉｃａｔｉｏｎｓ）（または、ＬＴＥ−Ｍ）、ＮＢ（Ｎａｒｒｏｗｂａｎｄ）ＬＴＥ−Ｍ、ＮＢ  ＩｏＴは、３ＧＰＰ（３ｒｄ  Ｇｅｎｅｒａｔｉｏｎ  Ｐａｒｔｎｅｒｓｈｉｐ  Ｐｒｏｊｅｃｔ）リリース１２、１３ベースのＬＴＥ技術として最近発表された標準であり、省電力モード（ＰＳＭ：Ｐｏｗｅｒ  Ｓａｖｉｎｇ  Ｍｏｄｅ）などが適用される。
一方、車両に設置されるブラックボックスは、カメラを用いて車両の前方状態を動画像として録画するだけでなく、車両に設置された各種センサーを用いて、イベントが発生する場合に静止画などとして保存する。一方、ブラックボックスは、ディスプレイや入力部などのユーザーインターフェースを備えて、ユーザーから各種制御命令の入力を受けることができる。
【発明の概要】
【発明が解決しようとする課題】
【０００３】
本発明の目的は、低消費電力広域ネットワークを用いて低消費電力で車両の運転者に各種サービスを提供する端末であって、車両に既設のブラックボックスに接続することができるサービス端末を提供することにある。
本発明の他の目的は、ＧＰＳ受信機を接続するためのポートのみを備えたブラックボックスにサービス端末を接続するためのサービス端末のブラックボックス接続方法を提供することにある。従来のブラックボックスは、外部端末接続用端子として、ＧＰＳ受信機を接続するためのポートのみを備えたので、サービス端末がブラックボックスとＧＰＳ受信機との間を仲介しながらＬＰＷＡＮデータがブラックボックスを介して表示されるようにする方法を提示する。
【課題を解決するための手段】
【０００４】
上記の目的を達成するために、本発明に係るサービス端末は、ブラックボックスに接続できる。この場合、ブラックボックスは、ＧＰＳ受信機を接続するための第１ポートを備えて車両に既設されたものである。サービス端末は、ブラックボックスに接続され、各種の低消費電力広域ネットワーク（ＬＰＷＡＮ）サービスを提供することができる。ＬＰＷＡＮサービスは、ＬＰＷＡＮを介して車両の運転者に提供できるサービスであればいずれのものでもよい。このとき、サービス端末は、自体のユーザーインターフェースを備えず、車両に既設のブラックボックスのユーザーインターフェース（ディスプレイやタッチパッドなど）を用いるものである。
本発明のサービス端末は、ＬＰＷＡＮインターフェース、ＭＣＵ及び電源部を含む。ＬＰＷＡＮインターフェースは、低消費電力広域ネットワーク（ＬＰＷＡＮ）に接続してＬＰＷＡＮサービスのためのＬＰＷＡＮサービスデータを送受信することができる。ＭＣＵは、前記内蔵ＧＰＳ受信機を接続することができる第２−１ポートと、前記ＬＰＷＡＮインターフェースを接続することができる第２−２ポートと、前記ブラックボックスの第１ポートにケーブル接続される第２−３ポートとを備え、前記第２−１ポートを介して受信したＧＰＳデータ及び前記第２−２ポートを介して受信したＬＰＷＡＮサービスデータのうちのいずれかを前記ブラックボックスへ提供することができる。電源部はサービス端末の直流動作電源を供給する。
実施形態によって、前記ＭＣＵは、（ａ）前記第２−１ポートを介して前記内蔵ＧＰＳ受信機から受信したＧＰＳデータを前記第２−３ポートへ仲介する中で、前記第２−２ポートを介して前記ＬＰＷＡＮサービスデータを受信した場合、前記受信したＬＰＷＡＮサービスデータに対応してユーザーに表示しなければならない表示データがあれば、前記ＧＰＳデータの仲介を中断し、前記表示データを前記第２−３ポートを介して前記ブラックボックスへ提供することにより、前記表示データが前記ブラックボックスの表示部に表示されるようにすることができる。
他の実施形態によって、前記ＭＣＵは、（ｂ）前記第２−１ポートを介して受信したＧＰＳデータを前記第２−３ポートへ仲介する中で、前記第２−３ポートを介して前記ブラックボックスが提供するデータを受信すると、前記データが前記内蔵ＧＰＳ受信機へ伝達するものであるか、前記ＬＰＷＡＮサービスのためのものであるかを判断し、前記ＬＰＷＡＮサービスのためのデータである場合には、前記ＧＰＳデータの伝達を中断し、前記ブラックボックスが提供したデータに対応するＬＰＷＡＮサービスデータを前記第２−２ポートを介して前記ＬＰＷＡＮインターフェースへ伝達して前記低消費電力広域ネットワークを介して外部管理サーバーに提供することができる。
ここで、前記表示データは、前記ＬＰＷＡＮサービスデータから抽出したものであるか、或いは前記ＬＰＷＡＮサービスデータに対応して前記ＭＣＵが既に保存しておいたものであってもよい。
ＧＰＳ受信機はＧＰＳデータを生成する。本発明のサービス端末は、ＧＰＳ受信機とケーブルを介して互いに接続されてもよく、内蔵ＧＰＳ受信機を備えてもよい。
本発明は、前記サービス端末のブラックボックス接続方法にも及ぶ。本発明の方法は、第２−１ポート、第２−２ポート及び第２−３ポートを備えた前記サービス端末のＭＣＵが前記第２−１ポートを介してＧＰＳ受信機に接続され、前記第２−２ポートを介して前記ＬＰＷＡＮインターフェースに接続され、前記第２−３ポートを介して前記ブラックボックスの第１ポートに接続されるステップと、前記ＭＣＵが前記第２−１ポートを介して受信したＧＰＳデータを前記第２−３ポートを介して前記ブラックボックスへ周期的に仲介するステップと、前記仲介するステップを行う中で前記第２−２ポートを介して受信したＬＰＷＡＮサービスデータがある場合に、前記ＭＣＵが前記第２−３ポートを介して前記ブラックボックスへ前記ＬＰＷＡＮサービスデータを伝達するステップとを含む。
【発明の効果】
【０００５】
本発明のサービス端末を用いると、ＧＰＳ受信機を接続するための一つのポートのみを提供する従来のブラックボックスにＧＰＳ受信機だけでなく、低消費電力広域ネットワーク（ＬＰＷＡＮ）を介したサービスを処理するための構成を同時に接続することができる。
これにより、サービス端末は、（１）内蔵されたＧＰＳ受信機を用いて受信したＧＰＳデータをブラックボックスへ伝達するだけでなく、（２）低消費電力動作などの理由で表示部及び入力部などのユーザーインターフェースが備えられなくても、ＬＰＷＡＮサービスに必要なデータをブラックボックスの表示部に表示し、ブラックボックスの入力部を介してユーザー制御命令の入力を受けることができる。
本発明の端末は、ＬＰＷＡＮを活用するため、低消費電力で駆動され、よって、バッテリーなどの小規模な電力でも長時間端末を動作させることができる。ＬＰＷＡＮ自体の通信コストも非常に低いため、端末運用コストも非常に低く維持することができる。
何よりも、本発明のサービス端末自体を簡略に作るために車両に既設のブラックボックスとＧＰＳ受信機を用いることに特徴がある。
【図面の簡単な説明】
【０００６】
【図１】本発明の端末の接続関係図である。
【図２】本発明の一実施形態に係る端末のブロック図である。
【図３】本発明の一実施形態に係る端末の動作説明に提供されるフローチャートである。
【図４】本発明の他の実施形態に係る端末のブロック図である。
【発明を実施するための形態】
【０００７】
以下、図面を参照して、本発明をさらに詳細に説明する。
図１及び図２を参照する。本発明のシステム１００は、車両１０に設置されるブラックボックス（Ｂｌａｃｋ−Ｂｏｘ）１１０、ＧＰＳ受信機２０及びサービス端末１３０と、低消費電力広域ネットワーク（ＬＰＷＡＮ）１５０を介してサービス端末１３０に接続される管理サーバー１７０とを含む。以下では、ＬＰＷＡＮ１５０としてＬｏＲａネットワークを例示して説明するが、これに限定されず、Ｓｉｇｆｏｘ、Ｉｎｇｅｎｕ、ＬＴＥ−Ｍ、ＮＢ−ＩＯＴなどのネットワークにも適用することができる。
車両１０に設置されるブラックボックス１１０は、カメラ（図示せず）を内蔵して車両の前方の状況を撮影し、動画像や静止画像（Ｓｔｉｌｌ  Ｉｍａｇｅ）として保存することができ、ＧＰＳ受信機２０を接続することができる万能非同期送受信機（ＵＡＲＴ：Ｕｎｉｖｅｒｓａｌ  ａｓｙｎｃｈｒｏｎｏｕｓ  ｒｅｃｅｉｖｅｒ／ｔｒａｎｓｍｉｔｔｅｒ）プロトコルに基づく第１ポート１１０ａを備えた従来のブラックボックスである。ブラックボックス１１０は、運転者に各種情報を表示し、動画像を再生して表示することができる表示部１１１と、運転者の制御命令の入力を受けるための入力部１１３とを備えることができる。表示部１１１と入力部１１３は、タッチスクリーンのように一体に実現することが好ましいが、これに限定されない。
ブラックボックス１１０は、ＵＡＲＴプロトコルに基づいてサービス端末１３０に接続される。ブラックボックス１１０は、本発明の動作のために、ブラックボックス制御部１１５とＬＰＷＡＮデータ処理部１１７とを含む。ブラックボックス制御部１１５は、従来のブラックボックスの動作を制御するもので、本発明の特徴的構成ではない。
ＬＰＷＡＮデータ処理部１１７は、下記で説明するＬＰＷＡＮサービスデータを処理する過程でサービス端末１３０から伝達された表示データを表示部１１１に表示し、入力部１１３を介してユーザーから入力されたデータをサービス端末１３０へ伝達する。
ＬＰＷＡＮ１５０には、複数のＬＰＷＡＮゲートウェイ（１５１を含む）とＬＰＷＡＮサーバー１５３を含み、サービス端末１３０と管理サーバー１７０との間を接続する。ＬＰＷＡＮサーバー１５３には、複数のＬＰＷＡＮゲートウェイ（１５１を含む）が接続される。以下では、サービス端末１３０とＬＰＷＡＮゲートウェイ１５１との間で送受信されるＬＰＷＡＮデータパケット（Ｐａｃｋｅｔ）に含まれているデータを「ＬＰＷＡＮサービスデータ」という。例えば、ＬＰＷＡＮ１５０がＬｏＲａネットワークである場合、ＬＰＷＡＮ１５０は、ＬｏＲａゲートウェイ１５１とＬｏＲａサーバー１５３を含み、ＬＰＷＡＮサービスのためにＬｏＲａデータパケットを伝送する。
管理サーバー１７０は、本発明のサービス端末１３０による各種ＬＰＷＡＮサービスを全体的に運用し、その動作のために運転者の登録を受けて管理することができる。運転者の登録を介して、管理サーバー１７０は、端末識別番号と運転者情報を互いにマッチングして保存し、管理する。ここで、運転者情報には、ログインＩＤとパスワードなどが含まれ、後述されるようにサービス端末１３０のＬＰＷＡＮサービスを運転者個人の他の携帯機器（携帯電話など、図示せず）に提供する場合であれば、当該携帯機器の情報（電話番号、ＭＡＣアドレスなど）も含まれ得る。
ここで、ＬＰＷＡＮサービスは、サービス端末１３０と管理サーバー１７０間のＬＰＷＡＮサービスデータの交換による相互作用によって実行できる、いずれの種類と形態のサービスでもよい。例えば、サービス端末１３０が取得する各種情報を用いて、例えば車両盗難防止に関するサービスを提供することもでき、車両運転者の居眠り運転防止のためのサービスを提供することもでき、車両が駐車／停車中の場合に車両の運転者を呼び出す運転者呼び出しサービスなどを提供することもできる。例えば、運転者呼び出しサービスは、サービス端末１３０が車両の運転者を呼び出すための呼び出し者から所定形態の運転者呼び出し命令の入力を受けることができ、その運転者呼び出し命令を管理サーバー１７０へ提供し、運転者を呼び出した結果の提供を管理サーバー１７０から受けて呼び出し者に表示する形態になる。ただし、ＬＰＷＡＮサービスそのものは、本発明の核心的な事項ではないので、ここで詳しく説明しない。
サービス端末１３０は、車両１０の内部に設置され、電源部２０１、ＬＰＷＡＮインターフェース２０３及びＭＣＵ（Ｍａｉｎ  Ｃｏｎｔｒｏｌｌｅｒ  Ｕｎｉｔ）２１０を含み、電源部２０１、ＬＰＷＡＮインターフェース２０３及びＭＣＵ２１０を収容するためのケース２３０を備える。一方、サービス端末１３０は、ＬＰＷＡＮサービスのための必要な構成（例えば、センサーなど）を含んでもよく、他の外部機器に接続されてもよい。
本発明において、サービス端末１３０は、ＧＰＳ受信機２０及びブラックボックス１１０に接続される。ただし、実施形態によって、図４に示すように、サービス端末４００は、内蔵型ＧＰＳ受信機２０を備えてもよい。本発明は、ＧＰＳ受信機を接続するための一つのポートのみを提供する従来のブラックボックス１１０にＧＰＳ受信機だけでなく、低消費電力広域ネットワーク（ＬＰＷＡＮ）を介したサービスを処理するための構成を同時に接続することにその特徴があるためである。
電源部２０１は、サービス端末１３０の動作のための直流動作電源を提供する。電源部２０１は、内蔵バッテリーを使用してもよい。本発明のサービス端末１３０は、ＬＰＷＡＮを使用することにより、低消費電力で動作することに特徴があるので、内蔵バッテリーを使用してもかなり長い期間電源を供給することができる。他の方法として、電源部２０１は、車両１０のヒューズボックス（図示せず）を介して車両バッテリー（図示せず）から直流電源の供給を受けて動作電源として直流を供給することもできる。
サービス端末１３０は、常時動作するように構成されてもよいが、運転者が特別に操作した場合にのみ動作するようにすることもできる。この場合、電源部２０１は、運転者から動作の開始及び終了に関する制御命令の入力を受けてＭＣＵ２１０に提供するための別途の手段（スイッチ、ボタンなど）をさらに備えてもよい。
ＬＰＷＡＮインターフェース２０３は、アンテナ（図示せず）を備え、ＬＰＷＡＮサービスプロトコルに基づく無線チャネルでＬＰＷＡＮゲートウェイ１５１と通信することができる。サービス端末１３０は、ＬＰＷＡＮゲートウェイ１５１を介して管理サーバー１７０に接続される。したがって、ＬＰＷＡＮインターフェース２０３は、ＭＣＵ２１０が提供する情報を管理サーバー１７０に提供し、管理サーバー１７０が提供する情報を受信してＭＣＵ２１０に提供する。
ＭＣＵ２１０は、本発明のサービス端末１３０の全般的な動作を制御し、管理サーバー１７０と一緒にＬＰＷＡＮサービスを提供するための各種情報を収集することもでき、管理サーバー１７０が提供するＬＰＷＡＮサービスデータを処理することができる。しかし、先立って説明したように、ＬＰＷＡＮサービスそのものは、本発明の核心的な内容ではないので詳細に説明しない。
本発明で提示するＭＣＵ２１０の核心的な動作は、ＧＰＳ受信機２０とＬＰＷＡＮインターフェース２０３とブラックボックス１１０との間を相互接続することである。ＭＣＵ２１０は、ハードウェア的に通常一つのチップで実現され、ＧＰＳ受信機２０、ＬＰＷＡＮインターフェース２０３及びブラックボックス１１０を相互接続するために複数のポートを含む。そのポートには、ＧＰＳ受信機２０との接続に割り当てられた第２−１ポート２１０ａと、ＬＰＷＡＮインターフェース２０３とＩ２Ｃ（Ｉｎｔｅｒ−Ｉｎｔｅｇｒａｔｅｄ  Ｃｉｒｃｕｉｔ）またはＳＰＩ（Ｓｅｒｉａｌ  Ｐｅｒｉｐｈｅｒａｌ  Ｉｎｔｅｒｆａｃｅ）プロトコルで接続される第２−２ポート２１０ｂと、ブラックボックス１１０の第１ポート１１０ａとＵＡＲＴプロトコルで接続される第２−３ポート２１０ｃとが含まれる。ＵＡＲＴプロトコルに従う第２−１ポート２１０ａ、第２−３ポート２１０ｃ及び第１ポート１１０ａは、それぞれＴｘ、Ｒｘ、ＶＣＣ及びＧＮＤ端子を一つのセットとして含む。この中でも、第２−３ポート２１０ｃと第１ポート１１０ａは、４つのケーブルを用いてＴｘ、Ｒｘ、ＶＣＣ及びＧＮＤ端子を相互接続する。
また、ＭＣＵ２１０は、その制御動作のためのソフトウェアがインストールされた状態で動作するので、図２では、そのソフトウェアを代表してＬＰＷＡＮクライアント部２１１と接続制御部２１３を示した。
【０００８】
図２に示されているように、ブラックボックス１１０は、ＵＡＲＴによる第１ポート１１０ａのみを備え、ＧＰＳ受信機２０からＧＰＳデータを受信しなければならない。よって、サービス端末１３０は、基本的にＧＰＳ受信機２０から受信されるデータをそのままブラックボックス１１０にバイパス（Ｂｙｐａｓｓ）しなければならない。ＧＰＳデータを仲介する中でＬＰＷＡＮ１５０からＬＰＷＡＮサービスデータを受信すると、ＭＣＵ２１０は、既に設定されたプロトコルとアルゴリズムに基づいてＬＰＷＡＮサービスデータを処理する。ブラックボックス１１０の立場では、一つのＵＡＲＴポートを介して２つの装置に接続されるのである。
ＬＰＷＡＮサービスデータの中には、（１）ＭＣＵ２１０自体で処理することができる場合があり、（２）ユーザーの確認や制御などが必要な場合もある。ＭＣＵ２１０自体で処理することができる（１）のＬＰＷＡＮサービスデータは、ＬＰＷＡＮクライアント部２１１が自体的に既に設定されたアルゴリズムに基づいて対応する。問題は、ユーザーの確認や制御命令の入力を受けなければならない（２）の場合である。この時は、ユーザーに必要な情報を知らせ、ユーザーから必要な制御命令の入力を受けなければならないが、本発明では、ブラックボックス１１０が保有した表示部１１１と入力部１１３を用いる。
ＬＰＷＡＮクライアント部２１１は、ＬＰＷＡＮインターフェース２０３から提供されるＬＰＷＡＮサービスデータを分析し、既に設定されたアルゴリズムに基づいてＬＰＷＡＮサービスデータを処理する。もし、（２）の場合のように、ＬＰＷＡＮサービスデータに対応してユーザーに表示する「表示データ」があれば、ＬＰＷＡＮクライアント部２１１は、その「表示データ」を接続制御部２１３に伝達する。表示データは、ＬＰＷＡＮサービスデータから抽出または分離したデータであることもあり、必要に応じては、特定のＬＰＷＡＮサービスデータの受信に対応してＭＣＵ２１０が既に保存しておいたデータであることもある。
接続制御部２１３は、第２−３ポート２１０ｃを介したＵＡＲＴプロトコルに基づく処理を行う。まず、接続制御部２１３は、基本的に、第２−１ポート２１０ａを介して受信されるＧＰＳデータを第２−３ポート２１０ｃへ仲介する。ＧＰＳデータの仲介中にＬＰＷＡＮクライアント部２１１から表示データを受信すると、接続制御部２１３は、当該表示データをＵＡＲＴプロトコルに基づくデータパケットに変換して第２−３ポート２１０ｃを介してブラックボックス１１０に提供する。
一方、接続制御部２１３は、第２−３ポート２１０ｃを介してブラックボックス１１０からＵＡＲＴデータパケットを受信すると、ＵＡＲＴデータパケットをパーシングして第２−１ポート２１０ａを介してＧＰＳ受信機２０へ仲介するか、ＬＰＷＡＮクライアント部２１１へ伝達するかを判断する。ＬＰＷＡＮクライアント部２１１へ伝達すると判断された場合には、接続制御部２１３は、ＵＡＲＴデータパケットをパーシングしてデータを抽出した後、ＬＰＷＡＮクライアント部２１１へ伝達する。
【０００９】
以下、ＭＣＵ２１０の動作を図３を参照してより詳細に説明する。
＜ＧＰＳデータの仲介：Ｓ３０１＞
サービス端末１３０が動作を開始すると、接続制御部２１３は、第２−１ポート２１０ａに入力されるＧＰＳデータを第２−３ポート２１０ｃに周期的に仲介する。言い換えれば、接続制御部２１３は、ＧＰＳ受信機２０とブラックボックス１１０とを接続する。第２−１ポート２１０ａと第２−３ポート２１０ｃは、同じプロトコルに従うポートなので、単純仲介でも接続可能である。ブラックボックス１１０のブラックボックス制御部１１５は、第２−３ポート２１０ｃに接続された第１ポート１１０ａを介して周期的に受信されるＧＰＳデータを自体のサービスに利用する。
ブラックボックス１１０がＧＰＳ受信機２０へ提供するデータがあっても、接続制御部２１３は、第２−１ポート２１０ａと第２−３ポート２１０ｃとの間を接続するものなので、そのままＧＰＳ受信機２０に仲介される。
＜ＬＰＷＡＮサービスデータの受信確認：Ｓ３０３＞
Ｓ３０１ステップを繰り返し行う中で、ＬＰＷＡＮインターフェース２０３は、ＬＰＷＡＮ１５０を介してＬＰＷＡＮデータパケットを周期的または非周期的に受信し、ＬＰＷＡＮサービスデータを抽出してＬＰＷＡＮクライアント部２１１へ提供する。
＜ＬＰＷＡＮサービスデータに対するユーザーの対応が必要であるか否かを判断：Ｓ３０５＞
Ｓ３０１ステップを繰り返し行う中で、Ｓ３０３ステップを介してＬＰＷＡＮインターフェース２０３からＬＰＷＡＮサービスデータを受信すると、ＬＰＷＡＮクライアント部２１１は、ＬＰＷＡＮサービスデータを分析し、当該ＬＰＷＡＮサービスデータに対応してユーザーに表示する内容があるか、或いはユーザーの制御命令を受信する必要があるかを判断する。
＜ＬＰＷＡＮサービスプロトコルに基づく自体処理：Ｓ３０７＞
Ｓ３０５ステップの判断で、ＬＰＷＡＮクライアント部２１１は、当該ＬＰＷＡＮサービスデータが自体処理することができると判断されると、既に設定されたアルゴリズムに基づいて受信処理をするか、或いは異なる応答をＬＰＷＡＮインターフェース２０３を介してＬＰＷＡＮ１５０へ提供する。ＬＰＷＡＮ１５０へ伝送されたデータは、必要に応じて管理サーバー１７０へ伝達されてＬＰＷＡＮサービスのために使用される。
＜ＬＰＷＡＮサービスデータにユーザーの処理が必要な場合：Ｓ３０９乃至Ｓ３１３＞
＜表示データの抽出：Ｓ３０９＞
Ｓ３０５ステップで、ＬＰＷＡＮクライアント部２１１は、当該ＬＰＷＡＮサービスデータに対応してユーザーに表示する事項があるか、或いはユーザーの制御命令を受信する必要があると判断されると、当該ＬＰＷＡＮサービスデータから表示データを抽出するか、或いは当該ＬＰＷＡＮサービスデータに対応して既に保存しておいた表示データを内蔵メモリから抽出して接続制御部２１３に提供する。
＜表示データの伝達：Ｓ３１１＞
接続制御部２１３は、表示データをＵＡＲＴプロトコルに基づくデータパケットに作って第２−３ポート２１０ｃとブラックボックス１１０の第１ポート１１０ａを介してブラックボックス１１０のＬＰＷＡＮデータ処理部１１７に提供する。表示データの伝達中には、第２−１ポート２１０ａを介して入力されるＧＰＳデータの仲介は中断される。接続制御部２１３は、表示データの伝達を完了すると、ＧＰＳデータの仲介を再開する。
＜表示部によるデータの表示：Ｓ３１３＞
ＬＰＷＡＮデータ処理部１１７は、表示データを表示部１１１を介してユーザーに表示する。
以上の方法で、本発明のサービス端末１３０のブラックボックス１１０接続方法が行われる。
【００１０】
＜実施形態１＞
表示部１１１に表示されたデータを確認した後、または他の必要に応じて、ユーザーが入力部１１３を介してＬＰＷＡＮサービスに必要な制御命令を入力する場合に、ＬＰＷＡＮデータ処理部１１７は、当該制御命令をＵＡＲＴプロトコルに基づくデータパケットに変換して第１ポート１１０ａと第２−３ポート２１０ｃを介してＭＣＵ２１０へ提供する。
ＭＣＵ２１０の接続制御部２１３は、第２−３ポート２１０ｃを介してブラックボックス１１０からＵＡＲＴデータパケットを受信すると、ＵＡＲＴデータパケットのヘッドをパーシングして、当該ＵＡＲＴデータパケットがＬＰＷＡＮクライアント部２１１へ伝達するか、ＧＰＳ受信機２０へ伝達するかを判断する。パーシングしたデータがＬＰＷＡＮクライアント部２１１へ伝達するので、接続制御部２１３は、ＵＡＲＴデータパケットをパーシングしてユーザー制御命令を抽出した後、ＬＰＷＡＮクライアント部２１１へ伝達する。ＬＰＷＡＮクライアント部２１１は、ユーザー制御命令に既に設定されたアルゴリズムに基づいてユーザー制御命令を自体処理するか、或いはＬＰＷＡＮ１５０を介してユーザー制御命令またはユーザー制御命令に対して既に設定されたデータを管理サーバー１７０へ提供する。
【００１１】
＜実施形態２＞
図１及び図２の例において、ＧＰＳ受信機２０は、サービス端末１３０に接続するために車両１０に設置された別途の装置として説明した。言い換えれば、端末１３０は、車両１０に既設のＧＰＳ受信機２０とブラックボックス１１０とを相互接続するものと説明した。
しかし、本発明はこれに限定されない。本発明は、ＧＰＳ受信機を接続するための一つのポートのみを提供する従来のブラックボックス１１０にＧＰＳ受信機だけでなく、低消費電力広域ネットワーク（ＬＰＷＡＮ）を介したサービスを処理するための構成を同時に接続することにその特徴があるので、本発明のサービス端末がＧＰＳ受信機を内蔵することもでき、図４はその例を示している。
図４のサービス端末４００は電源部２０１、ＬＰＷＡＮインターフェース２０３、ＭＣＵ２１０及び内蔵ＧＰＳ受信機２０を含み、これらは一つのケース４０１内に含まれる。図４のサービス端末４００は、１つの図２のサービス端末１３０とＧＰＳ受信機２０を一つの装置に包装したものである。
【００１２】
以上では、本発明の好適な実施形態について図示及び説明したが、本発明は、上述した特定の実施形態に限定されず、請求の範囲で請求する本発明の要旨を逸脱することなく、当該発明の属する技術分野における通常の知識を有する者によって多様な変形実施が可能なのはもとより、それらの変形実施は本発明の技術的思想や展望から個別的に理解されてはならないだろう。
【図１】
0006795862.tif 000002
【図２】
0006795862.tif 000003
【図３】
0006795862.tif 000004
【図４】
0006795862.tif 000005